(57)【要約】【課題】通信応答性の悪化及び消費電力量の増加を抑制しつつ、セキュリティレベルを確実に向上させる。【解決手段】携帯機１１は、携帯機側指紋データを複数の部分データに分割し、各部分データに対して個別に対応する識別子を付与する。一方、認証装置２１は、携帯機側指紋データと対応するように、認証側指紋データの部分データへの分割及び識別子の付与を行うとともに、該付与した識別子のうちの１つを任意に選択し、その選択した識別子を含むリクエスト信号を送信する。携帯機１１は、リクエスト信号を受信すると、該リクエスト信号に含まれる識別子と対応する部分データを無線信号に変換して外部に送信する。そして、認証装置２１は、認証側指紋データのうちのリクエスト信号に含まれる識別子と対応する部分データと、受信した無線信号に含まれる部分データとの比較結果に基づいて携帯機１１の認証成立の可否を判断する。【選択図】  図１
2004339831.tif 000002
【特許請求の範囲】
【請求項１】
携帯機側指紋データが格納され、その携帯機側指紋データの一部を無線信号に変換して送信する携帯機と、
認証側指紋データが予め格納され、前記携帯機から送信された前記無線信号を受信した際に、前記携帯機側指紋データの一部と認証側指紋データとの比較結果に基づいて前記携帯機の認証を行う認証装置とを備えることを特徴とする指紋認証式無線通信システム。
【請求項２】
前記認証装置は、前記認証側指紋データを複数の部分データに分割する認証側データ分割処理と、その認証側データ分割処理によって分割された複数の部分データのうちの少なくとも一つを選択し、その選択した部分データの選択情報を送信する選択情報送信処理とを備え、
前記携帯機は、前記認証側指紋データと対応するように前記携帯機側指紋データの前記部分データへの分割を実行する携帯機側データ分割処理と、該分割された前記携帯機側指紋データの各部分データの中から、前記認証装置によって選択された部分データと対応する部分データを、前記無線信号に含まれる前記選択情報に基づいて選出して出力する自動出力処理とを実行するデータ制御手段と、前記部分データを無線信号に変換して送信する送信手段とを備え、
前記認証装置は、前記選択した部分データと前記携帯機から送信された無線信号に含まれる部分データとの比較結果に基づいて前記携帯機の認証成立の可否を判断する認証処理とを行う認証制御手段をさらに備えることを特徴とする請求項１に記載の指紋認証式無線通信システム。
【請求項３】
前記携帯機は、操作に応じて操作信号を出力する操作部と、前記指紋データを複数の部分データに分割する携帯機側データ分割処理と、前記操作部からの操作信号に基づき、前記部分データのうちの少なくとも一つを選択し、その選択した部分データ及び該部分データの選択情報を含む制御指令信号を出力する手動出力処理とを実行するデータ制御手段と、前記制御指令信号を無線信号に変換して送信する送信手段とを備え、
前記認証装置は、前記携帯機側指紋データと対応するように前記認証側指紋データの前記部分データへの分割を実行する認証側データ分割処理と、
前記認証側指紋データの各部分データの中から、前記無線信号に含まれる前記部分データと対応する部分データを、前記無線信号に含まれる前記選択情報に基づいて選出し、その選出した部分データと該無線信号に含まれる部分データとの比較結果に基づいて前記携帯機の認証成立の可否を判断する認証処理とを行う認証制御手段を備えることを特徴とする請求項１または請求項２に記載の指紋認証式無線通信システム。
【請求項４】
前記操作部は、操作された際に指紋データを取得し、その取得した指紋データを前記操作信号として出力し、
前記データ制御手段は、該操作信号に基づいて前記携帯機側データ分割処理及び前記手動出力処理とを行うことを特徴とする請求項３に記載の指紋認証式無線通信システム。
【請求項５】
前記認証装置は、複数の前記認証側指紋データを格納可能なデータ格納手段と、それら格納された各指紋データに個別に対応した態様で制御対象を制御する制御手段とを備えることを特徴とする請求項１〜４のいずれか１項に記載の指紋認証式無線通信システム。
【発明の詳細な説明】
【０００１】
【発明の属する技術分野】
本発明は、指紋認証方式を用いた無線通信システムに関するものである。
【０００２】
【従来の技術】
一般に、所有者（ユーザ）によって所持される通信機能を有する携帯機と、制御対象物に設けられた通信装置との間で無線通信を行う無線通信システムを利用して、該制御対象物を遠隔制御する遠隔制御システムが知られている。
【０００３】
例えば、自動車（車両）においては、その基本性能や安全性の向上はもとより、その操作性の向上が求められている。そこで、こうした操作性の向上を目的として、前記無線通信システムを利用した車両用遠隔制御システムが提案されている。
【０００４】
具体的には、例えば特許文献１に記載の車両用遠隔操作装置（車両用遠隔制御システム）では、通信機能を有する携帯機を所持したユーザが車両室内に進入すると、車両に配設された送受信装置（通信装置）と携帯機との間で自動的に相互通信が行われるスマート通信制御が行われるようになっている。そして、この車両用遠隔操作装置では、その相互通信が確立したことを条件としてエンジンが始動可能な状態となり、このエンジン始動可能な状態で車両室内に設けられた操作部が操作されることによってエンジンが始動されるようになっている。このため、ユーザは、車両に搭乗して操作部を操作するだけでエンジンを始動させることができることとなる。よって、エンジンを始動させるための操作性が向上する。
【０００５】
ところで、この車両用遠隔操作装置における携帯機及び送受信装置には、対応して設定されたＩＤコードが予め記録されている。そして、携帯機と送受信装置との相互通信時には、該ＩＤコードを含むＩＤコード信号が携帯機から送信され、送受信装置は、該ＩＤコード信号に含まれるＩＤコードと自身に記録されたＩＤコードとの比較（照合）を行う。そして、これらＩＤコード同士が一致したことを条件として、送受信装置はエンジンを始動可能な状態にするようになっている。
【０００６】
こうした車両用遠隔制御システムでは、通常、ＩＤコードを暗号化して携帯機からＩＤコード信号を送信することにより、ＩＤコードの解読を防止するようになっている。しかしながら、一般にこうしたＩＤコードは、例えば８ビットの２値パターンからなるディジタル信号などによって構成されており、それほど複雑な構成になっていない。このため、こうした車両用遠隔制御システムでは、機械キーに比べて複製しにくいものの、携帯機が複製されてしまうおそれがないとは言えない。
【０００７】
一方、従来、指紋認証を用いたセキュリティ装置も提案されている。一般に、指紋データは１指あたり数百バイトの情報量（データ量）を有し、その情報量は前記ＩＤコードの５０〜２００倍程度となっている。このため、こうしたセキュリティ装置では、指紋データはデータ量が多いことと、指紋は個人毎に異なることなどから、携帯機の複製が非常に困難となる。そこで、前記車両用遠隔制御システムのセキュリティレベルをさらに向上させるためには、該車両用遠隔制御システムに指紋認証を適用することが考えられる。
【０００８】
【特許文献１】
特開２００１−３１１３３３号公報
【０００９】
【発明が解決しようとする課題】
ところが、車両用遠隔制御システムに指紋認証を単純に適用すると、指紋データを無線によって通信する際に、指紋データのデータ量が多いことに起因して通信時間が長くなり、通信応答性が悪くなってしまうという問題が生じる。また、こうした問題を解消するために通信速度を上げると、携帯機の消費電力量が増してしまい、同携帯機のバッテリ寿命が短くなってしまうという問題が生じる。
【００１０】
本発明はこうした実情に鑑みてなされたものであり、その目的は、通信応答性の悪化及び消費電力量の増加を抑制しつつ、セキュリティレベルを確実に向上させることができる指紋認証式無線通信システムを提供することにある。
【００１１】
【課題を解決するための手段】
上記の課題を解決するために、請求項１に記載の発明では、携帯機側指紋データが格納され、その携帯機側指紋データの一部を無線信号に変換して送信する携帯機と、認証側指紋データが予め格納され、前記携帯機から送信された前記無線信号を受信した際に、前記携帯機側指紋データの一部と認証側指紋データとの比較結果に基づいて前記携帯機の認証を行う認証装置とを備えることを要旨とする。
【００１２】
請求項２に記載の発明では、請求項１に記載の指紋認証式無線通信システムにおいて、前記認証装置は、前記認証側指紋データを複数の部分データに分割する認証側データ分割処理と、その認証側データ分割処理によって分割された複数の部分データのうちの少なくとも一つを選択し、その選択した部分データの選択情報を送信する選択情報送信処理とを備え、前記携帯機は、前記認証側指紋データと対応するように前記携帯機側指紋データの前記部分データへの分割を実行する携帯機側データ分割処理と、該分割された前記携帯機側指紋データの各部分データの中から、前記認証装置によって選択された部分データと対応する部分データを、前記無線信号に含まれる前記選択情報に基づいて選出して出力する自動出力処理とを実行するデータ制御手段と、前記部分データを無線信号に変換して送信する送信手段とを備え、前記認証装置は、前記選択した部分データと前記携帯機から送信された無線信号に含まれる部分データとの比較結果に基づいて前記携帯機の認証成立の可否を判断する認証処理とを行う認証制御手段をさらに備えることを要旨とする。
【００１３】
請求項３に記載の発明では、請求項１または請求項２に記載の指紋認証式無線通信システムにおいて、前記携帯機は、操作に応じて操作信号を出力する操作部と、前記指紋データを複数の部分データに分割する携帯機側データ分割処理と、前記操作部からの操作信号に基づき、前記部分データのうちの少なくとも一つを選択し、その選択した部分データ及び該部分データの選択情報を含む制御指令信号を出力する手動出力処理とを実行するデータ制御手段と、前記制御指令信号を無線信号に変換して送信する送信手段とを備え、前記認証装置は、前記携帯機側指紋データと対応するように前記認証側指紋データの前記部分データへの分割を実行する認証側データ分割処理と、前記認証側指紋データの各部分データの中から、前記無線信号に含まれる前記部分データと対応する部分データを、前記無線信号に含まれる前記選択情報に基づいて選出し、その選出した部分データと該無線信号に含まれる部分データとの比較結果に基づいて前記携帯機の認証成立の可否を判断する認証処理とを行う認証制御手段を備えることを要旨とする。
【００１４】
請求項４に記載の発明では、請求項３に記載の指紋認証式無線通信システムにおいて、前記操作部は、操作された際に指紋データを取得し、その取得した指紋データを前記操作信号として出力し、前記データ制御手段は、該操作信号に基づいて前記携帯機側データ分割処理及び前記手動出力処理とを行うことを要旨とする。
【００１５】
請求項５に記載の発明では、請求項１〜４のいずれか１項に記載の指紋認証式無線通信システムにおいて、前記認証装置は、複数の前記認証側指紋データを格納可能なデータ格納手段と、それら格納された各指紋データに個別に対応した態様で制御対象を制御する制御手段とを備えることを要旨とする。
【００１６】
以下、本発明の「作用」について説明する。
請求項１に記載の発明によると、指紋データに基づいた無線通信による認証が行われるため、携帯機の複製が困難となる。しかも、携帯機からは指紋データの一部が無線通信されるため、指紋データ全体が無線通信される場合に比べて通信速度が早くなる。また、携帯機の通信負担も減るため、同携帯機の消費電力量の増加も抑制される。よって、通信応答性の悪化及び消費電力量の増加を抑制しつつ、セキュリティレベルを確実に向上させることが可能となる。
【００１７】
請求項２に記載の発明によると、認証装置から送信された選択情報が携帯機によって受信されると、その選択情報と対応する部分データを含む無線信号が携帯機から送信される。そして、その無線信号が認証装置によって受信されると、認証装置による携帯機の認証が行われる。すなわち、認証装置は、携帯機との相互通信（双方向通信）によって認証を行う。この場合、携帯機は選択情報と対応する部分データのみを無線信号として送信するだけである。選択情報は認証装置によって選択されるため、たとえ携帯機からの無線信号が傍受されて部分データが解読され、その後にその部分データが認証装置に不正に送信されても、その部分データが選択情報と対応するとは限らない。よって、認証装置は、不正に送信された部分データを含む無線信号を受信しても、その部分データによって認証を成立しなくなる。それゆえ、当該指紋認証式無線通信システムのセキュリティレベルが一層向上する。
【００１８】
請求項３に記載の発明によると、携帯機は、操作部から操作信号が入力されると、指紋データの一部である部分データと、その部分データの選択情報とを無線信号に変換して送信する。認証装置は、無線信号を受信すると、認証側指紋データのうち、受信した選択情報と対応する部分データと無線信号に含まれる部分データとを比較して携帯機の認証を行う。このため、認証装置は、携帯機から送信された無線信号に含まれる部分データが、指紋データのうちのどの部分に相当するかを容易に認識することができる。よって、認証装置による認証処理が簡単となり、処理時間も短くなる。
【００１９】
ちなみに、操作部からの操作信号に基づいて送信される無線信号に識別子が含まれていない場合、認証装置は、無線信号に含まれる部分データを、認証側指紋データの全ての部分データと比較することが必要となるため、認証処理時間が長くなってしまう。
【００２０】
請求項４に記載の発明によると、携帯機は、取得した指紋データに基づいて携帯機側データ分割処理と手動出力処理とを行う。つまり、指紋データを携帯機に予め格納しておく必要がなくなるため、たとえ携帯機が紛失したり盗難されたりしても、該携帯機との無線通信によって認証装置が認証成立と判断してしまうことはない。
【００２１】
請求項５に記載の発明によると、認証装置は、携帯機から送信された無線信号に含まれる指紋データと一致（認証成立）した指紋データに基づき、個別の態様で制御対象を制御する。すなわち、認証装置は、携帯機との認証が成立すると、その認証が成立した指紋データと対応した態様で制御対象を制御する。このため、例えば指紋認証式無線通信システムを車両用遠隔制御システムに具体化し、車両のシートポジションやミラーポジションを駆動制御する制御装置にユーザ毎の指紋データを対応させれば、シートポジションやミラーポジションをユーザに合わせて自動的に調節させることが可能となる。
【００２２】
【発明の実施の形態】
（第１実施形態）
以下、本発明の指紋認証式無線通信システムを車両用遠隔制御システムに具体化した第１実施形態を図１〜図４に基づき詳細に説明する。
【００２３】
図１に示すように、車両用遠隔制御システム１は、車両２の所有者（ユーザ）によって所持される携帯機１１と、車両２内に配設された認証装置２１とを備えている。
【００２４】
携帯機１１は、受信回路１２と、送信手段としての送信回路１３と、データ制御手段としての携帯機側マイクロコンピュータ（携帯機側マイコン）１４と、操作部１５とを備えている。
【００２５】
受信回路１２には、受信アンテナ１２ａ及び携帯機側マイコン１４が電気的に接続されている。この受信回路１２は、認証装置２１から送信されるリクエスト信号を受信アンテナ１２ａによって受信すると、その信号をパルス信号に復調して携帯機側マイコン１４に対して出力する。
【００２６】
送信回路１３には、送信アンテナ１３ａ及び携帯機側マイコン１４が接続されている。この送信回路１３は、同携帯機側マイコン１４から出力された応答信号または制御指令信号を所定周波数（本実施形態では３１４ＭＨｚ）の電波に変調し、送信アンテナ１３ａを介して外部に送信する。
【００２７】
携帯機側マイコン１４は、具体的には図示しないＣＰＵ、ＲＯＭ、ＲＡＭ等からなるＣＰＵユニットであり、不揮発性のメモリ１４ａを備えている。このメモリ１４ａは、１つまたは複数の指紋データ（携帯機側指紋データ）を記録可能に構成されている。図２に示すように、所定の登録モードにおいて外部から指紋データＤ（ここでは携帯機側指紋データを指す）が入力されると、携帯機側マイコン１４は、その指紋データＤのデータ分割処理（携帯機側データ分割処理）を行う。このデータ分割処理において携帯機側マイコン１４は、入力された指紋データＤを複数（ここでは１００個）の部分データＤ１〜Ｄ１００に分割する。また、携帯機側マイコン１４は、各部分データＤ１〜Ｄ１００に対して選択情報としての識別子ｄ１〜ｄ１００を付与する。具体的には、携帯機側マイコン１４は、第１部分データＤ１に対して第１識別子ｄ１を付与し、第２部分データＤ２に対して第２識別子ｄ２を付与する。すなわち、各部分データＤ１〜Ｄ１００には、それぞれ対応する番号の識別子ｄ１〜ｄ１００が付与される。そして、携帯機側マイコン１４は、これら部分データＤ１〜Ｄ１００と識別子ｄ１〜ｄ１００とをメモリ１４ａに記録する。よって、外部から指紋データＤが入力されると、メモリ１４ａには、部分データＤ１〜Ｄ１００に分割された指紋データＤと、それら部分データＤ１〜Ｄ１００に対応づけて付与された識別子ｄ１〜ｄ１００とが記録される。
【００２８】
携帯機側マイコン１４は、受信回路１２からリクエスト信号が入力されると、送信回路１３に対して応答信号を出力する自動出力処理を行う。詳しくは、自動出力処理時において携帯機側マイコン１４は、受信回路１２からリクエスト信号が入力されると、そのリクエスト信号に含まれる識別子（ｄ１〜ｄ１００のいずれか１つ）と対応する部分データＤ１〜Ｄ１００をメモリ１４ａから読み出す。そして、携帯機側マイコン１４は、その読み出した部分データＤ１〜Ｄ１００を応答信号として送信回路１３に対して出力する。具体的には、例えばリクエスト信号に第１識別子ｄ１が含まれている場合、携帯機側マイコン１４は、該第１識別子ｄ１と対応づけられた第１部分データＤ１をメモリ１４ａから読み出し、その第１部分データＤ１を応答信号として送信回路１３に対して出力する。よって、送信回路１３から送信アンテナ１３ａを介して該応答信号が電波として送信される。
【００２９】
また、携帯機側マイコン１４には操作部１５が電気的に接続されている。本実施形態において操作部１５は、携帯機１１の意匠面に設けられた押しボタンスイッチによって構成され、同操作部１５が押圧操作されるとその押圧操作信号が携帯機側マイコン１４に入力される。詳しくは、操作部１５は２つの押しボタンスイッチによって構成され、一方は施錠用スイッチで他方は解錠用スイッチとなっている。そして、携帯機側マイコン１４は、この押圧操作信号が入力されると、前記リクエスト信号の入力の有無に拘わらず、送信回路１３に対して制御指令信号を出力する手動出力処理を行う。詳しくは、手動出力処理時において携帯機側マイコン１４は、操作部１５から押圧操作信号が入力されると、メモリ１４ａに記録された各識別子ｄ１〜ｄ１００のうちのいずれか１つを任意に選択して読み出す。それとともに、携帯機側マイコン１４は、その選択した識別子ｄ１〜ｄ１００と対応する部分データＤ１〜Ｄ１００も併せて読み出す。そして、携帯機側マイコン１４は、該読み出した識別子ｄ１〜ｄ１００及び部分データＤ１〜Ｄ１００を制御指令信号として送信回路１３に対して出力する。具体的には、例えば第１５識別子ｄ１５を選択した場合、携帯機側マイコン１４は、その第１５識別子ｄ１５と、第１５部分データＤ１５とを制御指令信号として送信回路１３に対して出力する。よって、送信回路１３から送信アンテナ１３ａを介して該制御指令信号が電波として送信される。また、携帯機側マイコン１４は、前記施錠用スイッチが押圧操作された場合には施錠コードを該制御指令信号に付与し、前記解錠用スイッチが押圧操作された場合には解錠コードを該制御指令信号に付与する。
【００３０】
一方、認証装置２１は、送信回路２２、受信回路２３及び認証制御手段としての認証側マイクロコンピュータ（認証側マイコン）２４を備えている。
送信回路２２は車両２の所定箇所に配設され、同送信回路２２には送信アンテナ２２ａ及び認証側マイコン２４が電気的に接続されている。この送信回路２２は、認証側マイコン２４から出力されるリクエスト信号を所定周波数（ここでは１３４ｋＨｚ）の電波に変調し、その電波を送信アンテナ２２ａを介して車両周辺の所定領域及び車両室内の所定領域に選択的に送信する。
【００３１】
受信回路２３には、受信アンテナ２３ａ及び認証側マイコン２４が電気的に接続されている。この受信回路２３は、携帯機１１から送信される応答信号や制御指令信号を受信アンテナ２３ａによって受信すると、その信号をパルス信号に復調して認証側マイコン２４に対して出力する。
【００３２】
認証側マイコン２４は、具体的には図示しないＣＰＵ、ＲＯＭ、ＲＡＭ等からなるＣＰＵユニットであり、データ格納手段としての不揮発性のメモリ２４ａを備えている。このメモリ２４ａは、１つまたは複数の指紋データ（認証側指紋データ）を記録可能に構成されている。認証側マイコン２４は、図２に示した前記携帯機側マイコン１４のデータ分割処理と同様に、所定の登録モードにおいて外部から指紋データＤ（ここでは認証側指紋データを指す）が入力されると、その指紋データＤのデータ分割処理（認証側データ分割処理）を行う。すなわち、認証側マイコン２４は、携帯機側指紋データＤと対応するように、（認証側）指紋データＤの部分データＤ１〜Ｄ１００への分割及び前記識別子ｄ１〜ｄ１００の付与を実行する。よって、外部から指紋データＤが入力されると、メモリ２４ａには、部分データＤ１〜Ｄ１００に分割された指紋データＤと、それら部分データＤ１〜Ｄ１００に対応づけて付与された識別子ｄ１〜ｄ１００とが記録される。
【００３３】
こうした認証側マイコン２４は、携帯機１１に対して応答信号の送信を要求するリクエスト信号送信処理を行う。詳しくは、認証側マイコン２４は、送信回路２２に対してリクエスト信号を所定の間欠周期で自動的に出力する。このリクエスト信号の出力に際して、認証側マイコン２４は、まずメモリ２４ａから識別子ｄ１〜ｄ１００のうちのいずれか１つを任意に選択して読み出す。そして、認証側マイコン２４は、その読み出した識別子ｄ１〜ｄ１００を含むリクエスト信号を送信回路２２に対して出力する。よって、送信回路２２から送信アンテナ２２ａを介して該リクエスト信号が電波として車両２の周辺の所定領域または車両室内の所定領域に選択的に送信される。なお、認証側マイコン２４は、車両２の駐車状態で室内にユーザが存在していない状態などの条件下において、車両２の周辺の所定領域に前記リクエスト信号を送信させるようになっている。これに対し、認証側マイコン２４は、エンジン停止状態において車両室内にユーザが存在している場合（存在していると推測される場合も含む）に、車両室内の所定領域に前記リクエスト信号を送信させるようになっている。また、本実施形態において、認証側マイコン２４は、リクエスト信号を出力する際には、所定のタイミングで識別子ｄ１〜ｄ１００を選択し直すようになっている。ちなみに、「所定のタイミング」としては、リクエスト信号を出力する度毎、同一の識別子ｄ１〜ｄ１００によるリクエスト信号の出力を所定回数行った毎、車外へのリクエスト信号の送信と室内へのリクエスト信号の送信とが切り換わる毎などが具体例として挙げられる。
【００３４】
また、認証側マイコン２４には、ドアロック駆動装置３１、エンジン始動装置３２及び各種電装品３３が電気的に接続されている。
ドアロック駆動装置３１は、ドア錠を施解錠するアクチュエータを備え、認証側マイコン２４から入力された電気信号（解錠制御信号、施錠制御信号）に基づいて同アクチュエータの駆動制御を行う装置である。詳しくは、ドアロック駆動装置３１は、認証側マイコン２４から解錠制御信号が入力されると前記アクチュエータを駆動してドア錠を解錠させ、施錠制御信号が入力されると該アクチュエータを駆動してドア錠を施錠させる。また、このドアロック駆動装置３１は、ドア錠の施解錠状態を示す信号（施解錠状態信号）を認証側マイコン２４に対して出力する。このため、認証側マイコン２４は、この施解錠状態信号に基づいてドア錠の施解錠状態を認識可能となる。
【００３５】
エンジン始動装置３２は、セルモータ（図示略）の駆動制御を行う装置である。このエンジン始動装置３２は、認証側マイコン２４から駆動許可信号が入力されたときにセルモータの駆動を許可し、車両室内に設けられた操作部（図示略）が操作されたことを条件として該セルモータの駆動を行ってエンジンを始動させる。また、エンジン始動装置３２は、エンジンの駆動状態を示す信号（駆動状態信号）を認証側マイコン２４に対して出力する。このため、認証側マイコン２４は、この駆動状態信号に基づいてエンジンの駆動状態を認識可能となる。
【００３６】
そして、認証側マイコン２４は、携帯機１１との相互通信に基づくスマート通信制御と、携帯機１１からの単方向通信に基づく手動通信制御とを行うようになっている。
【００３７】
＜１＞スマート通信制御
認証側マイコン２４は、リクエスト信号に応答して携帯機１１から送信された前記応答信号が受信回路２３によって受信されると、その応答信号に含まれる部分データＤ１〜Ｄ１００と、該リクエスト信号に含まれる識別子ｄ１〜ｄ１００と対応する部分データＤ１〜Ｄ１００との比較（データ照合）を行う。具体的には、例えば第１識別子ｄ１がリクエスト信号に含まれている場合、通常は携帯機１１から第１部分データＤ１を含む応答信号が送信される。このため、認証側マイコン２４は、該応答信号が入力されると、その応答信号に含まれる第１部分データＤ１と、メモリ２４ａに記録された第１部分データＤ１との比較を行う。
【００３８】
そして、認証側マイコン２４は、それら第１部分データＤ１同士が一致した場合、すなわち携帯機１１の認証が成立した場合、前記ドアロック駆動装置３１または前記エンジン始動装置３２の制御を行う。詳しくは、入力された携帯機１１からの応答信号が車外に送信されたリクエスト信号に応答して送信されたものである場合、認証側マイコン２４は、ドアロック駆動装置３１の制御を行う。より詳しくは、車両２のドア錠が施錠状態で携帯機１１の認証が成立すると、認証側マイコン２４は、ドアロック駆動装置３１に対して前記解錠制御信号を出力してドア錠を解錠させる。また、ドア錠の解錠状態において該認証が成立しなくなると、認証側マイコン２４は、ドアロック駆動装置３１に対して前記施錠制御信号を出力してドア錠を施錠させる。一方、入力された携帯機１１からの応答信号が車両室内に送信されたリクエスト信号に応答して送信されたものである場合、認証側マイコン２４は、エンジン始動装置３２の制御を行う。より詳しくは、車両室内において携帯機１１の認証が成立すると、認証側マイコン２４は、エンジン始動装置３２に対して駆動許可信号を出力し、セルモータの駆動を可能な状態にする。
【００３９】
＜２＞手動通信制御
また、認証側マイコン２４は、携帯機１１から送信された前記制御指令信号が受信回路２３によって受信されると、認証側指紋データＤのうち、該制御指令信号に含まれる識別子ｄ１〜ｄ１００と対応づけられた部分データＤ１〜Ｄ１００をメモリ２４ａから読み出す。そして、認証側マイコン２４は、該読み出した部分データＤ１〜Ｄ１００と、制御指令信号に含まれる部分データＤ１〜Ｄ１００との比較（データ照合）を行う。具体的には、例えば制御指令信号に第１５識別子ｄ１５が含まれている場合、認証側マイコン２４は、第１５識別子ｄ１５と対応づけられた第１５部分データＤ１５をメモリ２４ａから読み出し、その第１５部分データＤ１５に基づいて前記データ照合を行う。
【００４０】
そして、認証側マイコン２４は、携帯機１１の認証が成立した場合に、前記ドアロック駆動装置３１の施解錠制御を行う。詳しくは、前記制御指令信号に施錠コードが含まれている場合、認証側マイコン２４は、ドアロック駆動装置３１に対して前記施錠制御信号を出力してドア錠を施錠させる。これに対し、前記制御指令信号に解錠コードが含まれている場合、認証側マイコン２４は、ドアロック駆動装置３１に対して前記解錠制御信号を出力してドア錠を解錠させる。
【００４１】
次に、このように構成された車両用遠隔制御システム１の動作態様を図３及び図４に従って説明する。
＜１＞スマート通信制御時の動作態様
携帯機１１は、図３にステップＰ１で示すように前記携帯機側指紋データ（指紋データＤ）を取得すると、ステップＰ２で示すように前記携帯機側データ分割処理を行い、データ登録を完了する。
【００４２】
また、認証装置２１は、ステップＣ１で示すように前記認証側指紋データ（指紋データＤ）を取得すると、ステップＣ２で示すように前記認証側データ分割処理を行い、データ登録を完了する。データ登録が完了すると、認証装置２１は、ステップＣ３で示すように、前記部分データＤ１〜Ｄ１００に対応して付与した各識別子ｄ１〜ｄ１００の中から任意に１つを選択する。そして、ステップＣ４で示すように、認証装置２１は、その選択した識別子ｄ１〜ｄ１００を含むリクエスト信号を車両２の周辺の所定領域または車両室内の所定領域に選択的に送信する。すなわち、認証装置２１は、リクエスト信号送信処理を実行する。
【００４３】
携帯機１１は、ステップＰ３で示すように、リクエスト信号を受信すると、そのリクエスト信号に含まれる識別子ｄ１〜ｄ１００と対応する部分データＤ１〜Ｄ１００を応答信号として送信する自動出力処理を実行する。
【００４４】
そして、その応答信号を受信すると認証装置２１は、ステップＣ５で示すように前記スマート通信制御における認証処理を行い、該認証が成立するとステップＣ６で示すようにドア錠の解錠またはエンジンの始動を許可する。
【００４５】
このため、こうした携帯機１１と認証装置２１との相互通信により、ユーザは、何ら操作を行うことなくドア錠を自動的に施解錠させたり、携帯機１１やメカニカルキーを用いることなくエンジンを始動させたりすることができるようになる。
【００４６】
＜２＞手動通信制御時の動作態様
図４に示すように、携帯機１１及び認証装置２１は、まず前記データ登録を完了する。
【００４７】
携帯機１１は、ステップＰ１１で示すように操作部１５が操作されると、ステップＰ１２で示すように各識別子ｄ１〜ｄ１００の中から任意に１つを選択する。そして、ステップＰ１３で示すように携帯機１１は、選択した識別子ｄ１〜ｄ１００に基づいて前記制御指令信号を送信する手動出力処理を実行する。このため、この制御指令信号には、選択した識別子ｄ１〜ｄ１００と、その識別子ｄ１〜ｄ１００と対応づけられた部分データＤ１〜Ｄ１００とが含まれている。
【００４８】
そして、その制御指令信号を受信すると認証装置２１は、ステップＣ１１で示すように前記手動通信制御における認証処理を行い、該認証が成立すると、ステップＣ１２で示すようにドア錠の施解錠を行う。
【００４９】
このため、携帯機１１の操作部１５を操作することにより、ユーザは、認証装置２１との相互通信が成立していない状態であっても遠隔操作によってドア錠を施解錠させることができるようになる。
【００５０】
したがって、本実施形態によれば以下のような効果を得ることができる。
（１）車両用遠隔制御システム１ではユーザの指紋データＤを用いた無線通信による認証が行われるため、携帯機１１の複製が困難となる。しかも、携帯機１１からは指紋データＤの一部が無線通信されるため、指紋データＤ全体が無線通信される場合に比べて通信速度が早くなる。また、携帯機１１の通信負担も減るため、同携帯機１１の消費電力量の増加も抑制される。よって、通信応答性の悪化及び消費電力量の増加を抑制しつつ、セキュリティレベルを確実に向上させることができる。
【００５１】
（２）スマート通信制御では、認証装置２１から送信されたリクエスト信号を受信したことを条件として携帯機１１から無線信号が送信され、その無線信号を受信することにより認証装置２１による携帯機１１の認証が行われる。すなわち、認証装置２１は、携帯機１１との相互通信（双方向通信）によって認証を行う。この場合、携帯機１１はリクエスト信号に含まれる識別子ｄ１〜ｄ１００と対応する部分データＤ１〜Ｄ１００のみを無線信号として送信するだけである。そして、リクエスト信号に含まれる識別子ｄ１〜ｄ１００は任意に選択されるようになっている。このため、たとえ部分データＤ１〜Ｄ１００のうちの１つが解読され、該部分データＤ１〜Ｄ１００が認証装置２１に不正に送信されても、その部分データＤ１〜Ｄ１００と対応する識別子ｄ１〜ｄ１００がリクエスト信号に含まれる識別子ｄ１〜ｄ１００と対応するとは限らない。よって、認証装置２１は、不正に送信された部分データＤ１〜Ｄ１００を含む無線信号を受信しても、その部分データＤ１〜Ｄ１００によって認証を成立しなくなる。それゆえ、車両用遠隔制御システム１のセキュリティレベルを一層向上させることができる。
【００５２】
（３）携帯機１１は、操作部１５から押圧操作信号が入力されると、携帯機側指紋データ（指紋データＤ）の一部である部分データＤ１〜Ｄ１００と、その部分データＤ１〜Ｄ１００と対応する識別子ｄ１〜ｄ１００とを制御指令信号として送信する。認証装置２１は、該制御指令信号を受信すると、認証側指紋データ（指紋データＤ）のうち、受信した識別子ｄ１〜ｄ１００と対応する部分データＤ１〜Ｄ１００と制御指令信号に含まれる部分データＤ１〜Ｄ１００とを比較して携帯機１１の認証を行う。このため、認証装置２１は、携帯機１１から送信された制御指令信号に含まれる部分データＤ１〜Ｄ１００が、指紋データＤのうちのどの部分に相当するかを容易に認識することができる。よって、認証装置２１による認証処理が簡単となり、処理時間も短くなる。
【００５３】
ちなみに、制御指令信号に識別子ｄ１〜ｄ１００が含まれていない場合、認証装置２１は、制御指令信号に含まれる部分データＤ１〜Ｄ１００を、認証側指紋データ（指紋データＤ）の全ての部分データＤ１〜Ｄ１００と比較することが必要となるため、認証処理時間が長くなってしまう。したがって、制御指令信号に識別子ｄ１〜ｄ１００を含ませることは、認証処理時間の短縮に大きく貢献することとなる。
【００５４】
（４）携帯機１１のメモリ１４ａ及び認証装置２１のメモリ２４ａには、予め分割処理された指紋データＤの部分データＤ１〜Ｄ１００及び識別子ｄ１〜ｄ１００が記録されている。このため、携帯機１１と認証装置２１との通信時毎に指紋データＤを分割処理する必要がなく、携帯機側マイコン１４及び認証側マイコン２４の処理負担を軽減することができる。
（第２実施形態）
次に、本発明を車両用遠隔制御システムに具体化した第２実施形態を図１、図５及び図６に基づいて説明する。ここでは第１実施形態と相違する点を主に述べ、共通する点については同一部材番号を付すのみとしてその説明を省略する。
【００５５】
本第２実施形態において、携帯機１１の操作部１５には、操作された際に指紋データを取得可能な指紋データ読み取り部が設けられている。詳しくは、操作部１５の操作面には、押圧操作を行ったユーザの指の表面を光学的にスキャンする読み取り部が設けられている。そして、操作部１５は、指紋データを読み取ると、その読み取った指紋データ（図５に示す第１指紋データＤａ及び第２指紋データＤｂ）を携帯機側マイコン１４に対して出力する。そして、携帯機側マイコン１４は、図５に示すように、例えば第１指紋データＤａが入力されると、前記第１実施形態と同様に、その第１指紋データＤａのデータ分割処理を行う。具体的には、第１指紋データＤａを複数（ここでは１００個）の部分データＤａ１〜Ｄａ１００に分割するとともに、それら分割した部分データＤａ１〜Ｄａ１００に対応づけした識別子ｄａ１〜ｄａ１００を付与する。携帯機側マイコン１４のメモリ１４ａは、前記予め登録された指紋データＤとは別の領域に該部分データＤａ１〜Ｄａ１００及び識別子ｄａ１〜ｄａ１００を記録するようになっている。
【００５６】
そして、携帯機側マイコン１４は、該識別子ｄａ１〜ｄａ１００の中から１つを任意に選択し、その選択した識別子ｄａ１〜ｄａ１００と、該識別子ｄａ１〜ｄａ１００と対応づけられた部分データＤａ１〜Ｄａ１００とを含む制御指令信号を送信回路１３に対して出力する。このため、送信回路１３から送信アンテナ１３ａを介して該制御指令信号が外部に送信される。
【００５７】
また、携帯機側マイコン１４は、例えば第２指紋データＤｂが入力されると、その第２指紋データＤｂを部分データＤｂ１〜Ｄｂ１００に分割するとともに、それら分割した部分データＤｂ１〜Ｄｂ１００に対応づけした識別子ｄｂ１〜ｄｂ１００を付与する。そして、メモリ１４ａは、第１指紋データＤａがメモリ１４ａに記録されている状態にあっては、第１指紋データＤａの部分データＤａ１〜Ｄａ１００及び識別子ｄａ１〜ｄａ１００を抹消し、同領域に第２指紋データＤｂの部分データＤｂ１〜Ｄｂ１００及び識別子ｄｂ１〜ｄｂ１００を記録するようになっている。この場合、携帯機側マイコン１４は、該識別子ｄｂ１〜ｄｂ１００の中から１つを任意に選択し、その選択した識別子ｄｂ１〜ｄｂ１００と、該識別子ｄｂ１〜ｄｂ１００と対応づけられた部分データＤｂ１〜Ｄｂ１００とを含む制御指令信号を送信回路１３に対して出力する。
【００５８】
一方、図１に示すように、本実施形態の認証側マイコン２４には、制御対象としての各種電装品３３が電気的に接続されている。各種電装品３３は、例えば車両２の室内においてユーザの癖や体型などによって調整されるものであり、具体的にはルームミラー、電動ドアミラー、電動式シート調節装置（パワーシート）、ステアリングの電動式チルト機構などである。こうした各種電装品３３は、ユーザによって調整された状態を記憶しており、認証側マイコン２４からユーザ情報信号が入力されると、該記憶した調整状態となるように自動的に駆動するようになっている。
【００５９】
また、認証側マイコン２４のメモリ２４ａは、前記第１実施形態における指紋データＤに加え、図５に示した第１指紋データＤａ及び第２指紋データＤｂなど、異なる指紋データＤ，Ｄａ，Ｄｂを記録可能となっている。
【００６０】
そして、認証側マイコン２４は、携帯機１１から送信された応答信号や制御指令信号が入力されると、前記認証処理を行う。例えば、識別子ｄａ１及び部分データＤａ１を含む制御指令信号が入力された場合、認証側マイコン２４は、該識別子ｄａ１と、その識別子ｄａ１と対応づけられた部分データＤａ１をメモリ２４ａから読み込む。そして、認証側マイコン２４は、その読み込んだ部分データＤａ１と制御指令信号に含まれる部分データＤａ１との比較を行い、それらが一致した場合に携帯機１１の認証が成立したと判断して、前記ドアロック駆動装置３１の施解錠制御を行う。また、それとともに、認証側マイコン２４は、各種電装品３３の個別制御を行う。この個別制御を行うにあたり、各種電装品３３のポジションデータなどが、各指紋データＤ，Ｄａ，Ｄｂと対応づけられた状態でメモリ２４ａに記録されている。例えば指紋データＤと対応するユーザ（オーナ）のシートポジションやミラーポジションのデータなどは、指紋データＤと対応づけられた状態でメモリ２４ａに記録されている。このため、認証側マイコン２４は、指紋データＤに基づいて携帯機１１の認証が成立した場合には、該指紋データＤと対応づけられたポジションデータなどに基づいて各種電装品３３の駆動を制御する。よって、該ユーザは、何ら操作を行うことなく、シートポジションやミラーポジションなどを最適な位置に自動的に調節させることができる。
【００６１】
次に、このように構成された車両用遠隔制御システム１の個別制御時の動作態様を図６に従って説明する。
＜３＞個別制御時の動作態様
携帯機１１は、図６にステップＰ２１で示すように操作部１５により例えば第１指紋データＤａまたは第２指紋データＤｂを取得すると、ステップＰ２２で示すように該取得した指紋データＤａ，Ｄｂのデータ分割処理を行う。データ分割処理を完了すると、携帯機１１は、ステップＰ２３で示すように、識別子ｄａ１〜ｄａ１００，ｄｂ１〜ｄｂ１００の中から任意に１つを選択する。そして、ステップＰ２４で示すように、携帯機１１は、選択した識別子ｄａ１〜ｄａ１００，ｄｂ１〜ｄｂ１００に基づいて前記制御指令信号を送信する前記手動出力処理を実行する。このため、この制御指令信号には、選択した識別子ｄａ１〜ｄａ１００，ｄｂ１〜ｄｂ１００と、その識別子ｄａ１〜ｄａ１００，ｄｂ１〜ｄｂ１００と対応づけられた部分データＤａ１〜Ｄａ１００，Ｄｂ１〜Ｄｂ１００とが含まれている。
【００６２】
一方、認証装置２１は、データ登録が完了した状態で携帯機１１から送信された制御指令信号を受信すると、ステップＣ２１で示すように前記認証処理を行い、該認証が成立すると、ステップＣ２２で示すようにドア錠の施解錠及び各種電装品３３の個別制御を行う。
【００６３】
このため、携帯機１１の操作部１５を操作することにより、ユーザは、認証装置２１との相互通信が成立していない状態であっても遠隔操作によってドア錠を施解錠させることができるようになるとともに、各種電装品３３の個別制御（最適制御）を行わせることができるようになる。
【００６４】
したがって、本実施形態によれば、前記第１実施形態における上記（１）〜（４）に記載の効果に加えて、以下のような効果を得ることができる。
（５）携帯機１１は、操作部１５によって指紋データ（第１指紋データＤａ及び第２指紋データＤｂ）を取得した場合、その取得した指紋データに基づいて、携帯機側データ分割処理と手動出力処理とを行う。そして、認証装置２１は、携帯機１１から送信された無線信号（応答信号または制御指令信号）に含まれる指紋データＤ，Ｄａ，Ｄｂと一致（認証成立）した指紋データＤ，Ｄａ，Ｄｂに基づき、個別の態様で各種電装品３３を制御する。すなわち、認証装置２１は、携帯機１１との認証が成立すると、その認証が成立した指紋データＤ，Ｄａ，Ｄｂと対応した態様で各種電装品３３を制御する。このため、例えば各種電装品３３としてルームミラー、電動ドアミラー、電動式シート調節装置（パワーシート）、ステアリングの電動式チルト機構などを適用させれば、シートポジションやミラーポジションをユーザに合わせて自動的に調節させることができる。よって、携帯機１１の操作者に最適な車両２の各種制御を自動的に行わせることができる。
【００６５】
なお、本発明の実施形態は以下のように変更してもよい。
・  前記第１実施形態において、認証装置２１のメモリ２４ａは、複数の指紋データ（認証側指紋データ）を記録可能となっていてもよい。このようにすれば、それぞれ別の指紋データが登録された複数の携帯機１１との通信によってドア錠の施解錠やエンジンの始動許可を行わせることができる。
【００６６】
・  前記第１実施形態では、リクエスト信号には認証側マイコン２４によって選択された識別子ｄ１〜ｄ１００が含まれている。しかし、リクエスト信号には、こうした識別子ｄ１〜ｄ１００は含まれていなくてもよい。なお、この場合、携帯機１１は、リクエスト信号を受信した際に、前記手動制御時の動作態様と同様に、識別子ｄ１〜ｄ１００の中から任意に選択し、その選択した識別子ｄ１〜ｄ１００と、該識別子ｄ１〜ｄ１００と対応する部分データＤ１〜Ｄ１００とを含む応答信号を送信する必要がある。
【００６７】
・  前記第２実施形態において携帯機１１は、指紋データＤを予め登録可能となっており、該登録により、指紋データＤの部分データＤ１〜Ｄ１００及び識別子ｄ１〜ｄ１００をメモリ１４ａに記録するようになっている。しかし、携帯機１１は、指紋データＤを予め登録できないようになっていてもよい。すなわち、携帯機１１は、操作部１５によって取得された指紋データ（例えば第１指紋データＤａや第２指紋データＤｂ）をメモリ１４ａに一時的に記録するようになっていてもよい。このようにすれば、通常、携帯機１１には指紋データが登録されていない状態となるため、たとえ携帯機が紛失したり盗難されたりしても、該携帯機１１との無線通信によって認証装置２１が認証成立と判断してしまうことはない。なお、この場合には、携帯機１１と認証装置２１との相互通信（双方向通信）が不能となるため、遠隔制御によるエンジンの始動許可制御は不能となる。
【００６８】
・  前記第２実施形態において認証装置２１は、各種電装品３３の個別制御を行うようになっている。しかし、認証装置２１は、こうした個別制御を行わないようになっていてもよい。また、該個別制御を前記第１実施形態において行うようにしてもよい。
【００６９】
・  前記各実施形態において携帯機１１のメモリ１４ａ及び認証装置２１のメモリ２４ａには、指紋データＤを分割した部分データＤ１〜Ｄ１００及び識別子ｄ１〜ｄ１００が記録されるようになっている。しかし、該メモリ１４ａ，２４ａは、必ずしも指紋データＤ，Ｄａ，Ｄｂを分割した状態で記録していなくてもよい。なお、この場合、携帯機側マイコン１４及び認証側マイコン２４は、通信時に指紋データＤ，Ｄａ，Ｄｂのデータ分割処理を行うようになっている必要がある。
【００７０】
・  前記各実施形態において携帯機側マイコン１４及び認証側マイコン２４は、指紋データＤを分割した際に、部分データＤ１〜Ｄ１００に対して識別子ｄ１〜ｄ１００を付与するようになっている。そして、携帯機１１のメモリ１４ａ及び認証装置２１のメモリ２４ａには、指紋データＤを分割した部分データＤ１〜Ｄ１００及び識別子ｄ１〜ｄ１００が記録されるようになっている。しかし、該メモリ１４ａ，２４ａの記録領域に対する部分データＤ１〜Ｄ１００の配列順序が同一となるように設定されていれば、該メモリ１４ａ，２４ａには、識別子ｄ１〜ｄ１００が記録されないようになっていてもよい。また、識別子ｄ１〜ｄ１００の付与自体が行われないようになっていてもよい。このように変更した場合、携帯機１１のメモリ１４ａに記録されている部分データＤ１〜Ｄ１００の順番を示す番号に対応する部分データＤ１〜Ｄ１００と、認証装置２１のメモリ２４ａに記録されている部分データＤ１〜Ｄ１００の順番を示す番号に対応する部分データＤ１〜Ｄ１００とが一致する。このため、識別子ｄ１〜ｄ１００の代わりに部分データＤ１〜Ｄ１００の順番を示す番号を携帯機１１と認証装置２１との間で通信させれば、認証装置２１は対応する部分データＤ１〜Ｄ１００同士の比較を確実に行うことができる。よって、この場合には、部分データＤ１〜Ｄ１００の順番を示す番号を選択情報として機能させることができる。なお、ここでは指紋データＤについての変更態様のみを説明したが、第２実施形態における第１指紋データＤａ及び第２指紋データＤｂについても同様に変更してもよい。
【００７１】
・  前記各実施形態では、指紋データＤを１００個の部分データＤ１〜Ｄ１００に分割するようになっている。しかし、指紋データＤは、１００個に限らず、９９個以下や１０１個以上の部分データに分割されてもよい。なお、この場合、識別子ｄ１〜ｄ１００も指紋データＤの分割個数に合わせて付与される必要がある。
【００７２】
・  前記各実施形態では、携帯機１１と認証装置２１との間で、相互通信（双方向通信）と単方向通信が行われるようになっている。しかし、第１実施形態においては、携帯機１１と認証装置２１との間で、相互通信のみまたは単方向通信のみが行われるようになっていてもよい。そして、第２実施形態においては、携帯機１１と認証装置２１との間で、単方向通信のみが行われるようになっていてもよい。例えば携帯機１１と認証装置２１との間で単方向通信のみが行われるようにした場合、携帯機１１の受信回路１２と認証装置２１の送信回路２２とを省略することができるとともに、各マイコン１４，２４の処理の単純化を図ることができるようになる。
【００７３】
・  前記各実施形態において、携帯機１１及び認証装置２１に対する指紋データＤの登録は、個別に行うようになっていてもよいし、一方（例えば携帯機１１）のみに登録し、そのデータを通信によって他方（例えば認証装置２１）に登録するようになっていてもよい。この場合、一方（例えば携帯機１１）のみがデータ分割処理を行い、他方（例えば認証装置２１）はデータ分割処理を行わなくてもよくなるため、携帯機１１または認証装置２１の処理負担が軽減する。
【００７４】
・  前記各実施形態において携帯機１１及び認証装置２１は、外部から入力された指紋データＤを部分データＤ１〜Ｄ１００に分割するデータ分割処理を行うようになっている。しかし、携帯機１１及び認証装置２１は、予め分割された指紋データＤの部分データＤ１〜Ｄ１００及び識別子ｄ１〜ｄ１００が外部から入力されるようになっていてもよい。
【００７５】
・  前記各実施形態において、車両用遠隔制御システム１は、ドア錠の施解錠制御とエンジン始動許可制御とを行うようになっている。しかし、車両用遠隔制御システム１は、ドア錠の施解錠制御及びエンジン始動許可制御のうちの一方のみを行うようになっていてもよい。
【００７６】
・  指紋認証式無線通信システムは、車両用遠隔制御システム１に限らず、例えば住宅用ドア錠の施解錠を無線通信によって行う住宅用遠隔施解錠制御システムなど、種々の無線通信システムに適用されてもよい。
【００７７】
次に、特許請求の範囲に記載された技術的思想のほかに、前述した実施形態によって把握される技術的思想を以下に列挙する。
（１）  請求項１に記載の指紋認証式無線通信システムにおいて、前記携帯機側指紋データ及び前記認証側指紋データは、それぞれ対応関係を有する複数の部分データに分割されており、前記認証装置は、分割された前記認証側指紋データにおける各部分データのうちの少なくとも一つを選択し、その選択した部分データの選択情報を送信する選択情報送信処理とを備え、前記携帯機は、分割された前記携帯機側指紋データにおける各部分データの中から、前記認証装置によって選択された部分データと対応する部分データを、前記無線信号に含まれる前記選択情報に基づいて選出して出力する自動出力処理とを実行するデータ制御手段と、前記部分データを無線信号に変換して送信する送信手段とを備え、前記認証装置は、前記選択した部分データと前記携帯機から送信された無線信号に含まれる部分データとの比較結果に基づいて前記携帯機の認証成立の可否を判断する認証処理とを行う認証制御手段をさらに備えること。
【００７８】
（２）  請求項２〜５のいずれか１項に記載の指紋認証式無線通信システムにおいて、前記携帯機及び前記認証装置のうちの少なくとも一方は、前記データ分割処理によって分割された前記指紋データの部分データ及び前記識別子を格納するデータ格納手段を備えていること。この技術的思想（２）によれば、携帯機と認証装置との通信時における処理負担を軽減することができる。
【００７９】
（３）  請求項１〜５、技術的思想（２）のいずれか１項に記載の指紋認証式無線通信システムにおいて、当該指紋認証式無線通信システムは、車両の電装品を遠隔制御する車両用遠隔制御システムであること。
【００８０】
【発明の効果】
以上詳述したように、請求項１〜５に記載の発明によれば、通信応答性の悪化及び消費電力量の増加を抑制しつつ、セキュリティレベルを確実に向上させることができる。
【００８１】
請求項２に記載の発明によれば、指紋認証式無線通信システムのセキュリティレベルを一層向上させることができる。
請求項３に記載の発明によれば、認証装置による認証処理が簡単となり、処理時間も短くなる。
【００８２】
請求項４に記載の発明によれば、指紋認証式無線通信システムのセキュリティレベルをより一層向上させることができる。
請求項５に記載の発明によれば、利便性を向上させることができる。
【図面の簡単な説明】
【図１】本発明の第１及び第２実施形態の概略構成を示すブロック図。
【図２】第１実施形態のデータ分割処理を模式的に示す説明図。
【図３】第１実施形態のスマート通信制御時の動作態様を示すシーケンスチャート。
【図４】同実施形態の手動通信制御時の動作態様を示すシーケンスチャート。
【図５】第２実施形態のデータ分割処理を模式的に示す説明図。
【図６】同実施形態の個別制御時の動作態様を示すシーケンスチャート。
【符号の説明】
１…指紋認証式無線通信システムとしての車両用遠隔制御システム、２…車両、１１…携帯機、１３…送信手段としての送信回路、１４…データ制御手段としての携帯機側マイクロコンピュータ（携帯機側マイコン）、１５…操作部、２１…認証装置、２２…リクエスト信号送信手段としての送信回路、２４…認証制御手段としての認証側マイクロコンピュータ（認証側マイコン）、２４ａ…データ格納手段としてのメモリ、３３…制御対象としての各種電装品、Ｄ…携帯機側指紋データ及び認証側指紋データ、Ｄａ…第１指紋データ、Ｄｂ…第２指紋データ、Ｄ１〜Ｄ１００，Ｄａ１〜Ｄａ１００，Ｄｂ１〜Ｄｂ１００…部分データ、ｄ１〜ｄ１００，ｄａ１〜ｄａ１００，ｄｂ１〜ｄｂ１００…識別子。
【図１】
2004339831.tif 000003
【図２】
2004339831.tif 000004
【図３】
2004339831.tif 000005
【図４】
2004339831.tif 000006
【図５】
2004339831.tif 000007
【図６】
2004339831.tif 000008